(57)【要約】【課題】光学データ記憶用のデータページ及びそのデータページを含む光学データ記憶媒体並びにその読取り及び／又は書込み装置並びにその方法を提供すること。【解決手段】動きに対する感受性が低い光学記憶システムは、ホログラフィック記憶システムへの光学データ記憶用のデータページ（３）と、このデータページ（３）を含むホログラフィック記憶媒体と、このデータページ（３）を含む光学媒体の読取り装置及び／又は書込み装置と、データページ（３）の読取り方法及び／又は書込み行う方法を含んでいる。データページ（３）は、記憶媒体の動き方向へのデータページ（３）の動きに対する感度が低い１つ又は複数の領域（５）を含んでいる。【選択図】図６
2009123325.tif 000002
【特許請求の範囲】
【請求項１】
光学データ記憶媒体の動き方向へのデータページの動きに対する感受性が低い１つ以上の領域を含むことを特徴とする光学データ記憶用のデータページ。
【請求項２】
前記１つ以上の領域のデータピクセルは、動き方向に拡大されることを特徴とする請求項１に記載の光学データ記憶用のデータページ。
【請求項３】
前記１つ以上の領域の「オン」ピクセルは、動き方向に同じサイズを有することを特徴とする請求項１又は２に記載の光学データ記憶用のデータページ。
【請求項４】
前記動きに対する感受性が低い１つ以上の領域は、２つ以上の「オン」ピクセルを隣り合わせに並べて示さないことを特徴とする請求項１，２又は３に記載の光学データ記憶用のデータページ。
【請求項５】
前記動きに対する感受性が低い１つ以上の領域は、動き方向の「オン」ライン及び／又は「オフ」ラインを含むことを特徴とする請求項１乃至４のいずれかに記載の光学データ記憶用のデータページ。
【請求項６】
前記動きに対する感受性が低い１つ以上の領域は、アドレス情報、内容情報、トラッキング制御情報又は集束制御情報の少なくとも１つを含むことを特徴とする請求項１乃至５のいずれかに記載の光学データ記憶用のデータページ。
【請求項７】
前記動きに対する感受性が低い領域しか含まないことを特徴とする請求項１乃至６のいずれかに記載の光学データ記憶用のデータページ。
【請求項８】
シフト感受性の程度の異なる複数の領域を含むことを特徴とする請求項１乃至７のいずれかに記載の光学データ記憶用のデータページ。
【請求項９】
ホログラフィックデータページであることを特徴とする請求項１乃至８のいずれかに記載の光学データ記憶用のデータページ。
【請求項１０】
請求項１乃至９のいずれかに記載の光学データ記憶用のデータページを１つ又は複数含むことを特徴とする光学データ記憶媒体。
【請求項１１】
前記光学データ記憶媒体の動き方向へのデータページの動きに対する感受性が低い領域のみを含み、かつ共通データ領域も有する２つのデータページの間に配列されたデータページを含むことを特徴とする請求項１０に記載の光学データ記憶媒体。
【請求項１２】
前記光学データ記憶媒体の動き方向へのデータページの動きに対する感受性が低い１つ以上の領域を含む前記データページ上で、動きに対する感受性が低い領域を検出及び復号するようになされたことを特徴とする光学データ記憶媒体の読取り装置。
【請求項１３】
前記動きに対する感受性が低い領域を読み取るための追加の光路が設けられることを特徴とする請求項１２に記載の光学データ記憶媒体の読取り装置。
【請求項１４】
請求項１乃至９のいずれかに記載の光学データ記憶用のデータページを書込む手段を有することを特徴とする光学データ記憶媒体の書込み装置。
【請求項１５】
請求項１乃至９のいずれかに記載の光学データ記憶用のデータページの読取り又は書込み方法であって、
前記光学データ記憶媒体の動き方向へのデータページの動きに対する感受性が低い領域からデータを検出するステップと、
検出したデータを復号するステップと
を有することを特徴とする方法。
【発明の詳細な説明】
【技術分野】
【０００１】
本発明は、光学データ記憶用のデータページ（ｄａｔａ  ｐａｇｅ）及びそのデータページを含む光学データ記憶媒体並びにその読取り及び／又は書込み装置並びにその方法に関し、より詳細には、ホログラフィック記憶システムなど動きに対する非感受性（ｉｎｓｅｎｓｉｔｉｖｉｔｙ）が高い光学記憶システムへの光学データ記憶用のデータページ、例えば、このようなデータページを含むホログラフィック記憶媒体などの光学記憶媒体、このようなデータページを含む光学記憶媒体の読取り及び／又は書込み装置並びにこのようなデータページの読取り及び／又は書込み方法に関する。特に、ページ指向光学データ記憶システムへの情報のシフト非感受性（ｓｈｉｆｔ−ｉｎｓｅｎｓｉｔｉｖｅ）記憶技術に関する。
【背景技術】
【０００２】
一般に、ホログラフィックデータ記憶では、コヒーレントな２つのレーザビームの重ね合わせによって生じた干渉縞を符号化してデジタルデータが記憶される。ここで、一方のビーム、いわゆる「物体波」は、空間光変調器（ＳＬＭ）によって変調され、記録する情報を搬送する。第２のビームは、参照波として使用される。干渉縞により記憶マテリアルの特定の性質が改変され、その改変は干渉縞の局所強度によって決まる。記録されたホログラムの読取りは、記録時と同じ条件で当該ホログラムに参照波を照射することによって行われる。これにより、記録された物体波が再現される。
【０００３】
このようなホログラフィックデータ記憶の１つの利点は、データ容量が増加することである。従来の光学記憶媒体とは対照的に、ホログラフィック記憶媒体のボリュームは、単なる１つ又はいくつかの２次元層ではない情報を記憶するために使用される。ホログラフィックデータ記憶のもう１つの利点は、例えば、２つのビームがなす角度を変化させる、又はシフト多重化を用いることにより、同一ボリュームに複数のデータを記憶できる可能性があることである。さらに、ビットごとに記憶する代わりに、データをデータページとして記憶する。
【０００４】
通常は、１つのデータページは、複数ビットをコード化した明暗縞のマトリクス、すなわち、２次元バイナリ配列又はグレー値配列で構成される。異なる位相を示す複数の縞からなるデータページを使用することもできる。これにより記憶密度を高めるだけでなく、データレートを高めることも可能になる。データページは、ＳＬＭによって物体波にインプリントされ、アレイ検出器で検出される。
【０００５】
データ容量の増大とデータレートの向上は、ホログラフィックデータ記憶システムの開発における主要な課題の２つである。データ容量の増大は、光学記憶媒体の特定のデータページ又はボリュームへのアクセス時間の短縮と密接な関係がある。
【０００６】
ホログラフィック媒体は、上述したように、参照波を照射する間に読み出される。ホログラムの読取り中の光学系に対する媒体の位置は、ホログラムの書込み中と全く同じである。理想的な読取り位置から媒体が変位すると、検出器アレイ上の読出し縞の強度が低下する。さらに、画像の鮮鋭度が低下し、そのために画像にぼけが生じる。さらに、取り出されたデータページ画像は、検出器に対して位置ずれしている。
【０００７】
図１は、モデルによって取り出した、データページの変位によって決まる検出器上の画像の相対画像強度及び相対変位の正規化値を示す図で、ホログラムの変位に対する検出器上の画像強度及び相対画像変位の原則的挙動を示している。実線は、読み出されたホログラムの検出器上における相対画像変位（ｙ軸）を、媒体の位置（ｘ軸）の関数として示している。点線は、読み出されたホログラムの検出器上における相対画像強度（ｙ軸）を、媒体の位置（ｘ軸）の関数として示している。ホログラムがｘ＝０の位置にあれば、最適に位置合わせされている。この場合に、検出器上の読出しピクチャのシフトは最小となり、光強度は最大となる。
【発明の開示】
【発明が解決しようとする課題】
【０００８】
しかしながら、これらの効果に関して、ホログラムの位置決めがあまり精密に行われないと、検出器上のデータページ画像が劣化することになる。とくに、連続回転するディスクを備えたシステムでは、ホログラムの露光時間を、動きを静止させられる程度まで十分に短くしなければならない。パルスレーザ、高速シャッタ及び高速検出器が必要である。露出が長くなる、又は媒体の動きが速いと、画像のぼけにつながる。
【０００９】
本発明は、このような問題に鑑みてなされたもので、その目的とするところは、光学データ記憶用のデータページ及びそのデータページを含む光学データ記憶媒体並びにその読取り及び／又は書込み装置並びにその方法を提供することにある。
【課題を解決するための手段】
【００１０】
本発明は、動きに対する感受性が低いデータページを提供することを特徴とする。本発明によれば、データページ上に、読出し中の動き又は不正確な位置決めに対する感受性が低いデータを含む領域が１つ以上存在する。これにより、例えば、ホログラフィック記憶媒体などの記憶媒体が高速運動している間に、データページのこれらの領域に記憶された情報の読出しを行うことができる。これは、例えば、これらの領域のデータの特殊な変調又はコード化を用いることによって行われる。一般に、位置ずれ又は動きがあると、信号対雑音比（ＳＮＲ）が低下するが、これは、これらの領域のデータを変調又はコード化することによって一部補償することができる。
【００１１】
本発明のさらなる改良形態によれば、データピクセルは、シフト非感受性領域内において動き方向に拡大される。このようにして、データピクセルは、媒体が検出器表面に対して平行に移動したことによってこの方向にぼけが生じた場合でも、はるかに良好に検出される。例えば、ディスクなどの回転媒体上では、各点において、半径と直交し、かつ検出器の光軸と直交する動きベクトルが動きの方向を規定する。高速運動中のあるピクセルから別のピクセルへのクロストークが低減される。これは、より低い空間周波数を用いたデータ変調に対応し、これにより、正確な位置合わせの重要性がある程度低下する。
【００１２】
有利な方法では、シフト非感受性領域内の「オン」ピクセルは、動き方向に同じサイズを有する。換言すれば、各「オン」ピクセルは同じ長さを有する。したがって、各「オン」ピクセルは、動き方向に同じ空間周波数を有する。ピクセル長及びピクセルの空間周波数が既知であるので、画像にぼけが生じた場合のピクセル推定が容易になる。
【００１３】
有利な方法では、この変調方式では、２つの「オン」ピクセル、例えば、２つの明るいピクセルが隣り合って並ばない。これにより、あるピクセルから別のピクセルへのクロストークが低減し、各ピクセルの検出可能性が向上する。検出された信号のエッジを使用して、位置合わせを改善することができる。
【００１４】
動き方向と直交する方向のトラッキング及び位置合わせを改善するために、シフト非感受性領域は、「オン」ピクセルしか含まない、又は「オフ」ピクセルしか含まない動き方向の線を含むことが好ましい。動き方向と直交する方向の位置合わせを、媒体が動き方向に任意にシフトしている間に確実に行うことができ、動きの速度とは無関係に実行することができる。
【００１５】
有利な方法では、シフト非感受性領域は、アドレス情報、内容情報、トラッキング制御情報又は集束制御情報の少なくとも１つを含む。この情報は、通常は、特定のデータページの位置を突き止め、記憶されたデータの内容全体の概要を取得し、又はデータの読出しの準備を行うために必要である。通常は、この情報は、データボリュームがより小さく、それがなければデータ全体の読出しを開始できないので、素早く取得しなければならない。このデータを読み取った後で、周知の標準的な読出しプロセスを用いて、既知のデータページフォーマットの領域から関心のあるデータを取得する。これにより、特定のデータページへのアクセスが高速で行われ、探索ルーチンが高速で行われ、読取りプロセスのセットアップが高速で行われる。
【００１６】
シフト非感受性領域しか含まないデータページは、２つのデータページの間に記憶することが好ましい。これにより、記憶媒体が連続的に運動している間の読出しプロセスが改善される。
【００１７】
他の有利な方法では、データページは、シフト非感受性の程度が異なる複数のシフト非感受性領域を含んでいる。この媒体は、記憶したデータを使用する分野の要件に応じて、様々な読出し速度及び様々な位置ずれ許容範囲に対応する。これらの領域では、異なるコード化方式に対応している。
【００１８】
上述したデータページは、ホログラフィックデータ記憶システムに使用されることが好ましい。複数のデータページは、ホログラフィック記憶媒体内に記憶される。これらのシステムでは、クロストークを低減し、ＳＮＲを向上させるための位置合わせ要件が高い。位置合わせ要件を緩和するシフト非感受性領域を用いると大きな利点がある。
【００１９】
また、本発明は、本発明によるデータページを含む光学記憶媒体の読取り装置を提供することを特徴とする。この読取り装置は、シフト非感受性領域を検出し、復号する手段を有する。
【００２０】
本発明の有利な実施形態では、光学記憶媒体から本発明によるデータページの読取り装置は、シフト非感受性領域の読取りのために最適化された追加の光路を備える。これにより、読出し速度がさらに向上し、誤り率が低下する。この装置は、データ領域のデータを読み取るためのＣＣＤ及びシフト非感受性領域のデータを読み取るためのＣＣＤを含んでいる。シフト非感受性データを検出するためのＣＣＤは、例えば、２次元ＣＣＤである。例えば、シフト非感受性領域を読み取るためのレンズ系及び１次元ＣＣＤを備えることも、本発明の技術的範囲内に含まれる。読み出された信号は、時間依存１次元信号である。共通のＣＣＤを使用し、例えば、特定の誤り訂正を使用する、又はオーバサンプリングを適合させるなど、シフト非感受性領域の読出しデータの特定の特徴に信号処理を適合させることも、本発明の技術的範囲内に含まれる。
【００２１】
また、本発明は、本発明によるデータページを含む光学記憶媒体の書込み装置を提供することを特徴とする。この書込み装置は、シフト非感受性領域のデータをコード化する手段を有する。データページのシフト非感受性領域の書込み及びデータページのデータ領域の書込みのために異なるＳＬＭを設けることも、本発明の技術的範囲内に含まれる。
【００２２】
また、本発明は、本発明によるデータページの読取り及び／又は書込み方法を提供することを特徴とする。この読取り及び／又は書込み方法は、光学記憶媒体を検出するステップと、データページ内のシフト非感受性領域を識別するステップと、シフト非感受性領域内のピクセルを検出するステップと、これらの領域から導出したデータを復号する、又はシフト非感受性領域に書き込むデータをコード化するステップとを含んでいる。
【発明の効果】
【００２３】
本発明によれば、ホログラフィック記憶システムなど動きに対する非感受性（ｉｎｓｅｎｓｉｔｉｖｉｔｙ）が高い光学記憶システムへの光学データ記憶用のデータページ、例えば、このようなデータページを含むホログラフィック記憶媒体などの光学記憶媒体、このようなデータページを含む光学記憶媒体の読取り及び／又は書込み装置並びにこのようなデータページの読取り及び／又は書込み方法を実現することができる。
【発明を実施するための最良の形態】
【００２４】
より深く理解されるように、以下の記載において図面を参照しながらさらに詳細に本発明について説明する。本発明は、この例示的な実施形態に限定されるものではなく、具体的に示す特徴も、本発明の技術的範囲を逸脱することなく、好都合に組み合わせ、かつ／又は改変することができることを理解されたい。
【００２５】
以下、ホログラフィック記憶システムを一例として用いて、本発明について説明する。その他の光学記憶システムにも本発明を適用することができることは、当業者には明らかである。
【００２６】
図１は、モデルによって取り出した、データページの変位によって決まる検出器上の画像の相対画像強度及び相対変位の正規化値を示す図で、ホログラムの変位に対する検出器上の画像強度及び相対画像変位の原則的挙動を示している。つまり、書込みプロセスと比較した、読出しプロセス中の光学系に対する媒体の位置の変位の効果を示している。モデルに基づいて、検出器上での読出しデータページの画像強度を変位の関数として示している。さらに、検出器上での読出し画像の相対画像変位を、媒体の変位の関数として示している。
【００２７】
図２は、測定によって取り出した、データページの変位によって決まる検出器上の画像の相対画像強度及び相対変位の正規化値を示す図で、同じ画像強度及び画像変位を測定に基づいて示している。光路と比較してデータページが不正確に位置決めされていると、検出器上の受信画像が大幅に劣化し、それによりＳＮＲが低下する。連続回転するディスクを備えたシステムでは、位置合わせがとくに困難になる。
【００２８】
図３は、従来のデータページの一例を示す図で、ホログラフィックシステムで読み出された、当技術分野で既知のデータページ１を示している。同じサイズの明るいピクセルと暗いピクセルが、データページ１の全体にわたって分布している。
【００２９】
図４は、媒体が高速移動している場合の読出しプロセス中に取り出された、図３に示すデータページの検出画像を示す図で、図３に示すデータページ１を読出しプロセス中に検出器アレイと平行な動き方向２に移動させた場合の、データページの読出し結果を示している。画像には強いぼけが生じ、ＳＮＲは小さい。多くの場合、この検出器画像を用いてデータを取り出すことはできない。以下の図５乃至図１８では、簡単のために動き方向２は省略してある。
【００３０】
図５は、データ領域及びシフト非感受性領域を含むデータページを示す概略図で、本発明によるデータページ３を示す概略図である。このデータページ３は、共通データ領域４と、少なくとも１つのシフト非感受性領域５とに分割される。シフト非感受性領域５は、データページ３の最下部に示してあるが、データページ３内のそれ以外のどの位置にあってもよいことを、当業者なら理解されたい。
【００３１】
例えば、シフト非感受性領域５をデータページ３の最上部又は最下部に位置づけると、シフト非感受性領域５を読み取るセンサ（アレイ検出器）２４及びシフト非感受性領域５を読み取るセンサ（アレイ検出器）２２を、並べて位置づけることができるという利点がある。シフト非感受性領域５をデータページ３の中央に位置づけると、較正が主にその領域で行われるので、通常はデータページ３の中央でぼけ効果が最小限に抑えられるという利点がある。シフト非感受性領域５をデータページ３の左側又は右側に位置づけると、シフト非感受性ピクセルが動き方向と直交する方向に均等に分布するという利点がある。
【００３２】
これにより、シフト非感受性領域５の少なくとも一部が、どのような場合でも良好に較正される領域に入ることが保証される。本発明によるシフト非感受性領域５は、多くの方法で実現することができる。いくつかの有利な実施形態について、以下でさらに詳細に説明する。
【００３３】
図６は、第１の実施形態によるデータ領域及びシフト非感受性領域を含むデータページを示す図で、シフト非感受性領域５の本発明の例示的な実施形態を用いて、図５によるデータページ３を示している。ピクセルは、データページ３の動き方向２に対応する方向に拡大される。
【００３４】
図７は、媒体が静止している場合の読出しプロセス中に取り出された、図６に示すデータページの検出画像を示す図で、媒体を動かさない場合の、図６に示すデータページ３の検出画像を示している。共通データ領域４及びシフト非感受性領域５はともに、高い画質で取り出される。
【００３５】
図８は、媒体が高速移動している場合の読出しプロセス中に取り出された、図６に示すデータページの検出画像を示す図で、媒体を動き方向に動かした場合の、図６に示すデータページ３の検出画像を示している。上述した位置ずれの効果は、画像のぼけにつながる。共通データ領域４の場合には、画像のＳＮＲが低く、取り出すことができない。シフト非感受性領域５の場合には、共通データ領域４よりはるかに良好に検出画像を取り出すことができる。
【００３６】
図９は、ピクセル画像が画像の動きの方向に拡大された結果としてシフト非感受性領域のピクセルを示す図で、シフト非感受性領域５の可能な実施態様を示している。データピクセルが動き方向に拡大されており、したがって、動き方向の位置合わせ条件の要件が低減され、媒体をより高速で動かすことが可能になる。
【００３７】
図１０は、バーコード状に配列されたシフト非感受性領域のピクセルを示す図で、本発明の他の実施形態を示している。ここでは、シフト非感受性領域５のピクセルは、バーコード状に配列されている。これにより、シフト非感受性領域５の内容を、データページ３の動き方向の位置とは無関係に、かつ動き方向の速度とは無関係に、読み取ることが可能になる。
【００３８】
図１１は、低周波数変調を用いて配列されたピクセルを示す図で、全てのデータピクセルが、動き方向に同じ空間周波数を有し、したがって、動き方向に同じサイズを有するシフト非感受性領域５を示している。低空間周波数でシフト非感受性領域５を検出することが可能になる。
【００３９】
図１２は、動き方向と直交する方向には白い要素が隣接しないように配列されたピクセル領域を示す図で、シフト非感受性領域５内で、動き方向と直交する方向に隣り合わせに並んで位置する「オン」ピクセルが存在しない変調を示している。これにより、動き方向の１つのピクセル行から別のピクセル行へのクロストークがさらに低減される。
【００４０】
図１３は、動き方向に直交する方向に白い要素が隣接せず、１つのピクセル行が常に白である、ピクセル領域を示す図で、常に「オン」状態である水平線５１を用いたシフト非感受性領域５を示している。移動速度とは無関係に、この線５１は検出器上で常に同じ結果を生じることになる。このような線は、例えば、集束やトラッキングに使用することができる。読出し線の混乱が生じた場合に、データ信号を評価することなくトラックのロスを保証することができる。周知の一定集束信号により、集束が容易になる。
【００４１】
図１４は、拡大された大きなピクセルブロックを用いたピクセル領域を示す図で、動き方向及び動き方向と直交する方向に拡大された大きなブロックを用いた図である。この領域の読取りでは、共通データ領域４と比較して、検出器アレイ及び／又は光路の解像度が低くてもよい。
【００４２】
図１５は、シフト非感受性の程度が異なる複数の部分に分割されたピクセル領域を示す図で、異なる媒体速度で読み出すことができる、シフト非感受性の程度が異なる２つの異なるシフト非感受性領域５２，５３を示している。これにより、システム開発の自由度がさらに向上する。シフト非感受性領域５２，５３に記憶される情報の内容は、読取り速度、したがって、読出し中の媒体速度に関するそれぞれの要件に応じて異なるカテゴリに分類される。
【００４３】
図１６は、シフト非感受性情報が特定の領域に位置するのではなく、データページ全体に拡散しているデータページを示す図で、データページ３の全体にわたって動き方向及び動き方向と直交する方向に拡散したシフト非感受性領域５の一例を示している。シフト非感受性領域５は、１つの特定の領域に集中していない。光路の局所的な性能差又は検出器画像の局所的なぼけが解消される。
【００４４】
図１７は、他の２つのデータページの間に書き込まれた、シフト非感受性情報のみを含むデータページを示す図で、シフト非感受性領域５と共通データ領域４とを含む２つのデータページ３１，３３の間に位置する、シフト非感受性情報しか含まないデータページ３２を示している。２つのデータページ３１、３３は、共通データ領域４しか含んでいなくてもよい。
【００４５】
図１８は、シフト非感受性ピクセル領域の高速検出用に最適化されたレンズ系及び検出器アレイと、共通データページ用に最適化されたレンズ系及び検出器アレイとを含む追加の光路の一例を示す概略図で、共通データ領域４を読み出すための第１の光路６を示している。シフト非感受性領域５を読み出すように最適化された第２の光路７も設けられている。シフト非感受性領域５のデータを読み取るＣＣＤ２４は、時間依存１次元信号を生成する２次元ＣＣＤ又は１次元ＣＣＤである。第２の光路７は、使用されるＣＣＤ２４に適合している。
【００４６】
図１９に、シフト非感受性ピクセル領域の高速検出用に最適化されたレンズ系及び検出器アレイと共通データページ用に最適化されたレンズ系及び検出器アレイとを含む、ホログラフィック記憶媒体の読取り及び／又は書込み装置を示す概略図で、ホログラフィック記憶媒体１９の読取り装置及び／又は記録装置１０を示している。
【００４７】
コヒーレント光の光源、例えば、レーザダイオード１１が光ビーム１２を発出し、この光ビーム１２が、コリメーティングレンズ１３によってコリメートされる。次いで、光ビーム１２は、２つの別個の光ビーム１６，１７に分割される。この例では、光ビーム１２の分割は、第１のビームスプリッタ１４を用いて行われる。ただし、その他の光学構成要素を用いてこれを行うことも可能である。空間光変調器（ＳＬＭ）１５は、２つのビームの一方、いわゆる「物体波」１６を変調して２次元データパターンをインプリントする。物体波１６、及びもう一方のビーム、いわゆる「参照波」１７はともに、対物レンズ１８によって、ホログラフィック記憶媒体１９、例えば、ホログラフィックディスク又はカード内に集束する。物体波１６と参照波１７が交差するところで、干渉縞が出現し、これがホログラフィック記憶媒体１９の感光層に記録される。
【００４８】
１つ以上のシフト非感受性領域５を含むデータページ３を書き込む装置は、例えば、単一のＳＬＭ１５を用いて書込み対象のデータページ３を符号化するエンコーダを有する。記憶されたデータは、記録されたホログラムに参照波１７のみを照射することによって、ホログラフィック記憶媒体１９から取り出される。参照波１７は、ホログラム構造によって回折し、元の物体波１６のコピーを生成する。概略的に示す物体波２０は、共通データ領域４の情報を含む、再現されたビームの部分を表す。図示の物体波２３は、シフト非感受性領域５の情報を含む、再現されたビームの部分を表す。これらの再現された物体波２０，２３は、対物レン１８でコリメートされ、第２のビームスプリッタ２１によって２つのアレイ検出器２２，２４、例えば、ＣＣＤアレイに向けられる。
【００４９】
アレイ検出器２２，２４は、記録されたデータの再現を可能にする。検出器２２は、共通データ領域４に記憶されたデータを再現するように最適化され、検出器２４は、シフト非感受性領域５に記憶されたデータを再現するように最適化される。本発明によるデータページ３の読取り及び／又は記録装置は、多くの方法で実現できることは、当業者なら理解するであろう。例えば、さらに他のビームスプリッタ及びさらに他のＳＬＭを使用して、シフト非感受性データと周知のデータの光路を完全に分離することもできる。
【図面の簡単な説明】
【００５０】
【図１】モデルによって取り出した、データページの変位によって決まる検出器上の画像の相対画像強度及び相対変位の正規化値を示す図である。
【図２】測定によって取り出した、データページの変位によって決まる検出器上の画像の相対画像強度及び相対変位の正規化値を示す図である。
【図３】従来のデータページの一例を示す図である。
【図４】媒体が高速移動している場合の読出しプロセス中に取り出された、図３に示すデータページの検出画像を示す図である。
【図５】データ領域及びシフト非感受性領域を含むデータページを示す概略図である。
【図６】第１の実施形態によるデータ領域及びシフト非感受性領域を含むデータページを示す図である。
【図７】媒体が静止している場合の読出しプロセス中に取り出された、図６に示すデータページの検出画像を示す図である。
【図８】媒体が高速移動している場合の読出しプロセス中に取り出された、図６に示すデータページの検出画像を示す図である。
【図９】ピクセル画像が画像の動きの方向に拡大された結果としてシフト非感受性領域のピクセルを示す図である。
【図１０】バーコード状に配列されたシフト非感受性領域のピクセルを示す図である。
【図１１】低周波数変調を用いて配列されたピクセルを示す図である。
【図１２】動き方向と直交する方向には白い要素が隣接しないように配列されたピクセル領域を示す図である。
【図１３】動き方向に直交する方向に白い要素が隣接せず、１つのピクセル行が常に白である、ピクセル領域を示す図である。
【図１４】拡大された大きなピクセルブロックを用いたピクセル領域を示す図である。
【図１５】シフト非感受性の程度が異なる複数の部分に分割されたピクセル領域を示す図である。
【図１６】シフト非感受性情報が特定の領域に位置するのではなく、データページ全体に拡散しているデータページを示す図である。
【図１７】他の２つのデータページの間に書き込まれた、シフト非感受性情報のみを含むデータページを示す図である。
【図１８】シフト非感受性ピクセル領域の高速検出用に最適化されたレンズ系及び検出器アレイと、共通データページ用に最適化されたレンズ系及び検出器アレイとを含む追加の光路の一例を示す概略図である。
【図１９】シフト非感受性ピクセル領域の高速検出用に最適化されたレンズ系及び検出器アレイと共通データページ用に最適化されたレンズ系及び検出器アレイとを含む、ホログラフィック記憶媒体の読取り及び／又は書込みを行う装置を示す概略図である。
【符号の説明】
【００５１】
１，３，３１，３２，３３  データページ
２  動き方向
４  共通データ領域
５，５２，５３  シフト非感受性領域
６  第１の光路
７  第２の光路
１０  読取り装置及び／又は記録装置
１１  レーザダイオード
１２，１６，１７  光ビーム
１３  コリメーティングレンズ
１４  第１のビームスプリッタ
１５  空間光変調器（ＳＬＭ）
１６  物体波
１７  参照波
１８  対物レンズ
１９  ホログラフィック記憶媒体
２０，２３  物体波
２１  第２のビームスプリッタ
２２，２４  アレイ検出器（ＣＣＤ）
５１  水平線
【図１】
2009123325.tif 000003
【図２】
2009123325.tif 000004
【図３】
2009123325.tif 000005
【図５】
2009123325.tif 000006
【図６】
2009123325.tif 000007
【図９】
2009123325.tif 000008
【図１０】
2009123325.tif 000009
【図１１】
2009123325.tif 000010
【図１２】
2009123325.tif 000011
【図１３】
2009123325.tif 000012
【図１４】
2009123325.tif 000013
【図１５】
2009123325.tif 000014
【図１６】
2009123325.tif 000015
【図１７】
2009123325.tif 000016
【図１８】
2009123325.tif 000017
【図１９】
2009123325.tif 000018
【図４】
2009123325.tif 000019
【図７】
2009123325.tif 000020
【図８】
2009123325.tif 000021
【外国語明細書】
2009123325000001.pdf